【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
無線ネットワーク制御局を含む無線アクセスネットワークを動作させる方法であって、
前記無線ネットワーク制御局において、接続モードのユーザ機器ユニットについての環境情報を格納する工程と、
前記無線ネットワーク制御局において、前記ユーザ機器ユニットに対してセル更新促進メッセージの送信を開始させる工程とを有し、
前記セル更新促進メッセージは前記環境情報を用いる前記ユーザ機器ユニットに宛てられることを特徴とする方法。
【請求項２】
無線アクセスネットワークのサービスを行う無線ネットワーク制御局において、接続モードのユーザ機器ユニットについてのＵＴＲＡＮ無線網臨時アイデンティティ（Ｕ−ＲＮＴＩ）を含む環境情報の少なくとも部分的な喪失からの回復の方法であって、
前記無線アクセスネットワークのドリフト無線ネットワーク制御局において、接続モードの前記ユーザ機器ユニットについての前記環境情報を格納する工程と、
前記ドリフト無線ネットワーク制御局において、前記ユーザ機器ユニットに対してセル更新促進メッセージの送信を開始させる工程とを有し、
前記セル更新促進メッセージは前記環境情報を用いる前記ユーザ機器ユニットに宛てられることを特徴とする方法。
【請求項３】
前記セル更新促進メッセージは、呼出メッセージであるか、或いは無線資源制御（ＲＲＣ）システム情報同報メッセージであることを特徴とする請求項１又は２に記載の方法。
【請求項４】
前記接続モードのＣＥＬＬ＿ＰＣＨ状態或いはＵＲＡ＿ＰＣＨ状態にある前記ユーザ機器ユニットに対して前記セル更新促進メッセージを送信する工程をさらに有することを特徴とする請求項１又は２に記載の方法。
【請求項５】
前記セル更新促進メッセージは前記接続モードの複数のユーザ機器ユニットに個々に送信されることを特徴とする請求項１又は２に記載の方法。
【請求項６】
前記無線ネットワーク制御局において、前記ユーザ機器ユニットの国際移動電話加入者アイデンティティ（ＩＭＳＩ）を格納する工程と、
前記ユーザ機器ユニットの前記国際移動電話加入者アイデンティティ（ＩＭＳＩ）を用いて前記セル更新促進メッセージについての送信機会を決定する工程とをさらに有することを特徴とする請求項５に記載の方法。
【請求項７】
前記セル更新促進メッセージは、前記接続モードの複数のユーザ機器ユニットに対して集合的に送信されることを特徴とする請求項１又は２に記載の方法。
【請求項８】
前記接続モードの前記複数のユーザ機器ユニットの少なくともいくつかに対して前記セル更新促進メッセージを繰り返し送信する工程と、
前記セル更新促進メッセージのユーザ機器ユニットによる複数回受信の可能性にもかかわらず、前記ユーザ機器ユニットがただ一回のセル更新を実行するのを容易にするセル更新繰返防止フィールドを前記セル更新促進メッセージに含ませる工程とをさらに有することを特徴とする請求項７に記載の方法。
【請求項９】
前記セル更新促進メッセージの前記セル更新繰返防止フィールドに特定のセル更新要求に関係したカウンタを含ませる工程をさらに有し、
前記ユーザ機器ユニットは前記カウンタに同じ内容をもつセル更新促進メッセージの最初の受信を除く全ての受信を無視することを特徴とする請求項８に記載の方法。
【請求項１０】
前記格納する工程と前記開始させる工程とは、ユーザ機器ユニットについての環境情報の少なくとも部分的な喪失から回復するために、前記無線ネットワーク制御局において実行され、
ユーザ機器ユニットについての環境情報の喪失を被る前記無線ネットワーク制御局はサービスを行う無線ネットワーク制御局であり、
前記方法はさらに、
前記サービスを行う無線ネットワーク制御局が前記接続モードの重大な状態にあるユーザ機器ユニットのリストを維持し、前記リスト上の前記ユーザ機器ユニットについてのＩＭＳＩを格納し、
前記サービスを行う無線ネットワーク制御局は前記セル更新促進メッセージを前記ユーザ機器ユニットに送信することを特徴とする請求項１又は２に記載の方法。
【請求項１１】
さらに、前記接続モードにある前記ユーザ機器ユニットはセル更新手順を実行し、
その後、前記接続モードにある前記ユーザ機器ユニットを前記ユーザ機器ユニットについての前記ＵＴＲＡＮ無線網臨時アイデンティティ（Ｕ−ＲＮＴＩ）で呼出すことを特徴とする請求項１又は２に記載の方法。
【請求項１２】
接続モードにあるユーザ機器ユニットについての環境情報を格納し、前記ユーザ機器ユニットに対するセル更新促進メッセージの送信を開始させる無線ネットワーク制御局を含む無線アクセスネットワークシステムであって、
前記セル更新促進メッセージは前記環境情報を用いる前記ユーザ機器ユニットに対して宛てられていることを特徴とする無線アクセスネットワークシステム。
【請求項１３】
無線アクセスネットワークの無線ネットワーク制御局であって、
接続モードにあるユーザ機器ユニットについての環境情報を格納し、
前記ユーザ機器ユニットに対するセル更新促進メッセージの送信を開始させ、
前記セル更新促進メッセージは前記環境情報を用いる前記ユーザ機器ユニットに対して宛てられていることを特徴とする無線ネットワーク制御局。
【請求項１４】
前記セル更新促進メッセージは、呼出メッセージであるか、或いは無線資源制御（ＲＲＣ）システム情報同報メッセージであることを特徴とする請求項１２又は１３に記載の無線ネットワーク制御局。
【請求項１５】
前記セル更新促進メッセージは、前記接続モードのＣＥＬＬ＿ＰＣＨ状態或いはＵＲＡ＿ＰＣＨ状態にある前記ユーザ機器ユニットに対して送信されることを特徴とする請求項１２又は１３に記載の無線ネットワーク制御局。
【請求項１６】
前記セル更新促進メッセージは、前記接続モードにある複数のユーザ機器ユニットに個々に送信されることを特徴とする請求項１２又は１３に記載の無線ネットワーク制御局。
【請求項１７】
前記無線ネットワーク制御局は、
前記ユーザ機器ユニットの国際移動電話加入者アイデンティティ（ＩＭＳＩ）を格納し、
前記ユーザ機器ユニットの前記国際移動電話加入者アイデンティティ（ＩＭＳＩ）を用いて前記セル更新促進メッセージについての送信機会を決定することを特徴とする請求項１６に記載の無線ネットワーク制御局。
【請求項１８】
前記セル更新促進メッセージは、前記接続モードにある複数のユーザ機器ユニットに対して集合的に送信されることを特徴とする請求項１２又は１３に記載の無線ネットワーク制御局。
【請求項１９】
前記無線ネットワーク制御局は、前記接続モードにある前記複数のユーザ機器ユニットの少なくともいくつかに対して前記セル更新促進メッセージを繰り返し送信し、
前記無線ネットワーク制御局は、前記セル更新促進メッセージのユーザ機器ユニットによる複数回受信の可能性にもかかわらず、前記ユーザ機器ユニットがただ一回のセル更新を実行するのを容易にするセル更新繰返防止フィールドを前記セル更新促進メッセージを含ませることを特徴とする請求項１８に記載の無線ネットワーク制御局。
【請求項２０】
前記セル更新促進メッセージの前記セル更新繰返防止フィールドは、特定のセル更新要求に関係したカウンタを有し、
前記ユーザ機器ユニットは、前記カウンタに同じ内容をもつセル更新促進メッセージの最初の受信を除く全ての受信を無視することを特徴とする請求項１９に記載の無線ネットワーク制御局。
【請求項２１】
前記無線ネットワーク制御局は、ユーザ機器ユニットについての環境情報の、前記無線ネットワーク制御局における、少なくとも部分的な喪失から回復に関連して、前記セル更新促進メッセージを送信することを特徴とする請求項１２又は１３に記載の無線ネットワーク制御局。
【請求項２２】
ユーザ機器ユニットについての環境情報の喪失を被る前記無線ネットワーク制御局はサービスを行う無線ネットワーク制御局であり、
前記サービスを行う無線ネットワーク制御局は、前記接続モードの重大な状態にあるユーザ機器ユニットのリストを維持し、前記リスト上にある前記ユーザ機器ユニットについての環境情報を格納し、
前記サービスを行う無線ネットワーク制御局は、前記セル更新促進メッセージを前記ユーザ機器ユニットに送信することを特徴とする請求項２１に記載の無線ネットワーク制御局。
【請求項２３】
ユーザ機器ユニットについての環境情報の喪失を被る前記無線ネットワーク制御局はサービスを行う無線ネットワーク制御局であり、
前記無線アクセスネットワークはさらに、前記サービスを行う無線ネットワーク制御局により制御される無線アクセス接続をもち、かつ前記接続モードの重大な状態にあるユーザ機器ユニットのリストを維持するドリフト無線ネットワーク制御局を有し、
前記ドリフト無線ネットワーク制御局は、前記セル更新促進メッセージの前記ユーザ機器ユニットへの送信を開始することを特徴とする請求項２１に記載の無線ネットワーク制御局。
【請求項２４】
前記ドリフト無線ネットワーク制御局は前記リスト上のユーザ機器ユニットについての国際移動電話加入者アイデンティティ（ＩＭＳＩ）を格納し、
前記ユーザ機器ユニットの前記ＩＭＳＩを用いて、前記セル更新促進メッセージについての送信機会を決定することを特徴とする請求項２３に記載の無線ネットワーク制御局。